(57)【要約】【課題】多重マトリクス方式とフィールドシーケンシャル駆動を採用することで、クロストークの発生を抑制する。【解決手段】  複数の走査線と複数のデータ線との交差に対応して設けられた複数の画素に夫々設けられたスイッチング素子と、１フレームを複数のサブフレームに分割するとともに当該サブフレームの間にオフライン期間を設け、前記複数の走査線をブロック化して共通接続し、前記サブフレーム毎に前記ブロックに対して選択信号を順次供給する走査信号供給手段と、前記サブフレームにおいて所定色画像のデータ信号を前記データ線を介して画素に供給するデータ信号供給手段と、前記オフライン期間において前記所定色画像に対応する光を前記画素に照射する照明装置と、具備したことを特徴とする。【選択図】      図１
2007003649.tif 000002
【特許請求の範囲】
【請求項１】
複数の走査線と複数のデータ線との交差に対応して設けられた複数の画素に夫々設けられたスイッチング素子と、
１フレームを複数のサブフレームに分割するとともに当該サブフレームの間にオフライン期間を設け、前記複数の走査線をブロック化して共通接続し、前記サブフレーム毎に前記ブロックに対して選択信号を順次供給する走査信号供給手段と、
前記サブフレームにおいて所定色画像のデータ信号を前記データ線を介して画素に供給するデータ信号供給手段と、
前記オフライン期間において前記所定色画像に対応する光を前記画素に照射する照明装置と、
を具備したことを特徴とする液晶表示装置。
【請求項２】
前記共通接続された配線の線幅を前記走査線における線幅より太くすることを特徴とする請求項１に記載の液晶表示装置。
【請求項３】
前記スイッチング素子は、前記データ線からのデータ信号を前記画素を構成する画素電極に供給することを特徴とする請求項１に記載の液晶表示装置
【請求項４】
前記スイッチング素子は、２端子素子であることを特徴とする請求項１に記載の液晶表示装置。
【請求項５】
請求項１乃至４のいずれか１つに記載の液晶表示装置を用いて構成したことを特徴とする電子機器。
【発明の詳細な説明】
【技術分野】
【０００１】
本発明は、小型化、高解像度化、高輝度化が要求されるものに好適な液晶表示装置及び電子機器に関する。
【背景技術】
【０００２】
液晶表示装置は、ガラス基板、石英基板等の２枚の基板間に液晶を封入して構成される。各基板には電極を設け、電極に印加する駆動信号によって、各基板の電極相互間の液晶の光学特性を変化させる。即ち、各基板の電極相互間の液晶に画像信号に基づく電圧を印加することで、各画素の光の透過率を画像信号に応じて変化させて画像表示を行うのである。
【０００３】
アクティブマトリクス駆動方式の液晶表示装置においては、一方の基板の電極にはスイッチング素子を介して駆動信号を供給する。スイッチング素子として、ＴＦＴ（薄膜トランジスタ）駆動素子を用いたものの他に、ＭＩＭ駆動素子等の双方向ダイオード特性を有する２端子型非線形素子を用いたものがある。ＭＩＭ駆動素子等は、急峻なしきい値を持つため、スイッチング素子を用いない単純マトリクス駆動方式と比較すると画素間におけるクロストークの問題が少ない点で有利であり、ＴＦＴ駆動素子と比較すると、素子構成や製造工程が比較的簡易な点で有利である。
【０００４】
この種のＭＩＭ駆動素子等を用いた液晶表示パネルにおける階調表示は、データ側ドライバ回路として２値ドライバ回路を使用し、例えばＰＷＭ（パルス幅変調）のように、各駆動素子を選択する期間である１選択期間中のデータ信号の２値（オン又はオフ）を取る時間的な割合を階調レベルに応じて制御することにより行うのが一般的である。
【０００５】
即ち、各走査線（電極）に、選択期間を規定する幅及びＭＩＭ駆動素子のしきい値電圧よりも低い所定の電圧値（波高値）を有するパルス状の走査信号ＶＳを供給する。他方で、この選択期間に、走査線に液晶を挟んで対向する画素電極に対して、データ線からＭＩＭ駆動素子を介して所定の電圧値（波高値）を有するパルスからなるデータ信号ＶＤを供給する。
【０００６】
選択期間内における、これらの電圧値の差（ＶＳ−ＶＤ）がＭＩＭ駆動素子のしきい値電圧を越えるように設定しておけば、両者が供給された画素においてのみＭＩＭ駆動素子がオン状態とされる。この結果、液晶を挟んで走査線（対向電極）及び画素電極間に電圧が充電され、即ち液晶には印加電圧が印加される。
【０００７】
選択期間以外の期間はＭＩＭ駆動素子はオフであり、ＭＩＭ駆動素子及び液晶層の抵抗は十分に高く、液晶層の印加電圧は保持される。従って、各画素の液晶層に電荷を印加するのは一部の期間のみでよい。従って、液晶表示装置では、水平及び垂直方向に夫々延在する走査線及びデータ線の交点に対応してマトリクス状に画素を構成して、走査線及びデータ線を複数の画素について共通化した時分割マルチプレックス駆動が可能となる。
【０００８】
即ち、液晶表示装置では、同一データ線に接続された複数の画素電極のうち、選択された走査線に対向する画素電極のみが選択期間となって書込みが行われ、他の走査線に対向する画素電極は非選択期間となって、書込みまれた電圧を保持する。走査線を順次選択することで、１画面の表示が可能である。
【０００９】
このようなＭＩＭ液晶表示装置の駆動方法については、特許文献１等に詳述されている。
【特許文献１】特開２００２−４０９７８公報
【発明の開示】
【発明が解決しようとする課題】
【００１０】
ところで、ＭＩＭ駆動素子及び液晶は、電気的には、抵抗と容量との並列回路で表される。即ち、走査線とデータ線との間に、抵抗及び容量で表されるＭＩＭ駆動素子及び液晶が接続されることになる。このＭＩＭ駆動素子及び液晶の容量成分によって、データ信号がオンからオフに切換るときに、走査信号にスパイクノイズによるクロストークが現れるという不具合がある。
【００１１】
この場合でも、１走査線に対向する各画素電極に印加する信号がオフからオンに切換るタイミングが相互に異なる場合には、特には問題は生じない。しかし、例えば、一部の領域に同一輝度のグレー表示が行われる場合のように、複数のデータ線が同時にオフからオンに切換ると、走査信号には比較的大きなスパイクノイズが現れてしまう。そうすると、スパイクノイズの影響によって、電極相互間の液晶に印加される電位差が小さくなってしまい、ノーマリホワイトでは白表示に近い表示が行われてしまう。
【００１２】
次に、スパイクノイズによるクロストークの発生原理を説明する。
【００１３】
いま、ノーマリホワイトモードにおいて、例えば、画面中央に黒窓の領域を表示し、他の部分は同一輝度レベルのグレー表示領域であるものとする。黒窓が表示されていないラインにおいては、データ信号のオフからオンへの切換りが全てのデータ線において同時に発生して、走査線には大きなスパイクノイズが生じる。一方、黒窓が表示されている走査線には、黒窓部分においてはデータ信号がオフのままであり、データ信号のオンからオフへの切換りが黒窓部分以外のデータ線のみにおいて発生するので、走査線に発生するスパイクノイズは比較的小さい。そうすると、黒窓が表示されている走査線においては、黒窓が表示されていない領域よりもスパイクノイズの影響が小さく、電極相互間の印加電圧が比較的大きくなり、ノーマリホワイトでは黒っぽく表示されてしまう。
【００１４】
こうして、黒窓が表示されている走査線においては、黒窓の両側において、他の部分よりも黒っぽい画像が表示されてしまう。
【００１５】
本発明はかかる問題点に鑑みてなされたものであって、多重マトリクス方式とシーケンシャル駆動方式とを利用することで、クロストークを抑制することができる液晶表示装置及び電子機器を提供することを目的とする。
【課題を解決するための手段】
【００１６】
本発明に係る液晶表示装置は、複数の走査線と複数のデータ線との交差に対応して設けられた複数の画素に夫々設けられたスイッチング素子と、１フレームを複数のサブフレームに分割するとともに当該サブフレームの間にオフライン期間を設け、前記複数の走査線をブロック化して共通接続し、前記サブフレーム毎に前記ブロックに対して選択信号を順次供給する走査信号供給手段と、前記サブフレームにおいて所定色画像のデータ信号を前記データ線を介して画素に供給するデータ信号供給手段と、前記オフライン期間において前記所定色画像に対応する光を前記画素に照射する照明装置と、具備したことを特徴とする。
【００１７】
このような構成によれば、走査信号供給手段は、複数の走査線をブロック化して共通接続し、サブフレーム毎にブロックに対して選択信号を順次供給する。即ち、走査信号供給手段によって多重マトリクス方式が採用される。また、データ信号供給手段は、サブフレームにおいて所定色画像のデータ信号をデータ線を介して画素に供給する。また、照明装置は、オフライン期間に、所定色画像に対応する光を画素に照射する。これにより、フィールドシーケンシャル駆動が行われる。多重マトリクス方式では走査線を共通接続する配線の低抵抗化が可能であるが、開口率が低くなりやすく輝度が低下しやすい。一方、フィールドシーケンシャル駆動では、開口率を高くして輝度を向上させることができる。これにより、輝度を低下させることなく、配線の低抵抗化によってクロストークを抑制することができる。
【００１８】
また、前記共通接続された配線の線幅を前記走査線における線幅より太くすることを特徴とする。
【００１９】
このような構成によれば、配線を低抵抗化することができるので、例えば走査線に生じたノイズによるレベル変動を比較的短時間に元のレベルに復帰させることができ、クロストークを抑制することができる。
【００２０】
また、前記スイッチング素子は、前記データ線からのデータ信号を前記画素を構成する画素電極に供給することを特徴とする。
【００２１】
また、前記スイッチング素子は、２端子素子であることを特徴とする。
【００２２】
また、本発明に係る電子機器は、上記液晶表示装置を用いて構成したことを特徴とする。
【００２３】
このような構成によれば、サイズを大きくすることなく、輝度を向上させると共にクロストークを抑制することができ、小型に構成できると共に、高画質の表示が可能である。
【発明を実施するための最良の形態】
【００２４】
以下、図面を参照して本発明の実施の形態について詳細に説明する。図１は本発明の一実施の形態に係る液晶表示装置を示す説明図である。図１は主に電気的な構成を示すものであるが、機械的な構成についても示している。本実施の形態における液晶表示装置は２端子スイッチング素子であるＴＦＤ（Thin Film Diode：薄膜ダイオード）を用いたものである。
【００２５】
＜構成＞
図１において、液晶パネル１０には、奇数走査線（コモン電極）２１ａ及び偶数走査線２１ｂ（以下、両者を区別しない場合には走査線２１という）が行（Ｘ）方向に複数延在して形成される一方、奇数データ線（セグメント電極）３１ａ及び偶数データ線３１ｂ（以下、両者を区別しない場合にはデータ線３１という）が列（Ｙ）方向に複数延在して形成される。合わせてｍ本の走査線２１と合わせて２ｎ本のデータ線３１ａ，３１ｂとの各交差に対応してｍ×ｎ個のマトリクス状に画素４０が形成されている。
【００２６】
液晶パネル１０は、一対の基板１１，１２を対向配置し、両基板相互間に液晶１３を封入した構成である。即ち、観察者側に位置する対向基板１２と、その背面側に位置する素子基板１１とが、スペーサを兼ねる導電性粒子が混入されたシール材（図示省略）によって一定の間隙を保って貼り合わせられている。両基板１１，１２の間隙に、例えばＴＮ（Twisted Nematic）型の液晶１３が封入された構成となっている。
【００２７】
各基板１１，１２に、走査線２１、データ線３１及びＴＦＤ４１を構成するようになっている。対向基板１２の液晶対向面には、行（Ｘ）方向に延在して形成されるｍ本の走査線２１のほか、図示しない配向膜が形成されてラビング処理が所定の方向に施されている。対向基板１２に形成された走査線２１は、シール材に混入された導電性粒子を介して、各走査線２１と１対１に対応する配線２１ｃであって、素子基板１１に形成された配線２１ｃの一端に接続されている。即ち、対向基板１２に形成された走査線２１は、導電性粒子および配線２１ｃを介して、素子基板１１側に引き出された構成となっている。
【００２８】
また、素子基板１１の液晶対向面には、Ｙ（列）方向に延在して形成される２ｎ本のデータ線３１に隣接して、各走査線２１の幅に対応した矩形状の画素電極４３（図３参照）が形成されるほか、配向膜（図示省略）が形成されてラビング処理が所定の方向に施されている。
【００２９】
各データ線３１と、各データ線３１に隣接する画素電極４３との間には、夫々スイッチング素子の一例であるＴＦＤ４１が形成されている。ＴＦＤ４１がオンとなることで、各データ線３１の１列当たりｍ個の画素電極４３は、各データ線３１を介してデータ信号が供給される。
【００３０】
なお、ＴＦＤ４１は、タンタル単体やタンタル合金等から形成されて、データ線３１に接続された第１の導電体と、この第１の導電体を陽極酸化して形成される絶縁体と、絶縁体上に形成されて画素電極に接続されるクロム等の第２の導電体とによって構成される。このように、ＴＦＤ４１は、導電体／絶縁体／導電体のサンドイッチ構造を有し、電流−電圧特性が正負双方向にわたって非線形となるダイオードスイッチング特性を有する。
【００３１】
素子基板１１上の各画素電極４３は液晶１３を介して対向基板１２上の走査線（コモン電極）２１と対向する。液晶１３は電気的には液晶容量４２として表すことができる。図１に示すように、走査線２１とデータ線３１との間には、液晶容量４２、画素電極４３（図１では図示省略）及びＴＦＤ４１が介在することになる。即ち、電気的に見れば、各画素４０は、液晶容量４２と、ＴＦＤ４１との直列接続によって構成される。
【００３２】
液晶パネル１０を構成する素子基板１１上には、画素４０が構成された表示領域以外の領域において、走査線２１及びデータ線３１を駆動するための液晶駆動装置５１が形成されている。走査信号供給手段及びデータ信号供給手段としての液晶駆動装置５１は、ＣＯＧ（Chip On Glass）技術により実装されている。液晶駆動装置５１は、走査線２１に走査信号を供給すると共に、データ線３１にデータ信号を供給する。
【００３３】
また、素子基板１１上には、図示しないＦＰＣ（Flexible Printed Circuit）基板等が取り付けられて、タイミングコントローラ５２からの各種信号が液晶駆動装置５１に供給されるようになっている。
【００３４】
なお、図１における液晶駆動装置５１の素子基板１１上の配置は一例を示したものであり、図１の配置に限定されるものではない。また、液晶駆動装置５１を素子基板１１にＣＯＧ実装するのではなく、例えば、ＴＡＢ（Tape Automated Bonding）技術を用いて、各ドライバが実装されたＴＣＰ（Tape Carrier Package）を、基板の所定位置に設けられる異方性導電膜により電気的及び機械的に接続する構成としてもよい。
【００３５】
対向基板１２の外側（観察側）の面には図示しない偏光子が貼り付けられて、その吸収軸は、対向基板１２に形成した配向膜へのラビング処理の方向に対応して設定されている。また、素子基板１１の外側（観察側の反対側）の面にも図示しない偏光子が貼り付けられて、その吸収軸は、素子基板１１に形成した配向膜へのラビング処理の方向に対応して設定されている。
【００３６】
なお、図１では、図面の簡略化のために、走査線２１の総数を８本とし、データ線３１の総数を１０本として、８行×５列のマトリクス型表示装置として説明するが、本発明をこれに限定する趣旨ではない。
【００３７】
本実施の形態は、複数のライン（図１では２ライン）を同時に選択する多重マトリクス方式を採用したものである。図２を参照して多重マトリクス方式について説明する。
【００３８】
図２は８行×９列のマトリクス型表示装置を示している。図２は四角の枠によって赤（斜線部）、緑（縦線部）、青（無地）の各サブ画素の画素電極７１Ｒ，７１Ｇ，７１Ｂを示しており、これらの３つのサブ画素によって１画素７１を構成するカラー表示装置の例である。赤、緑、青の３色のサブ画素によって、カラーの１画素分の表示を行うようになっている。
【００３９】
素子基板（図２では図示省略）側には画素電極７１Ｒ，７１Ｇ，７１Ｂが構成されるのに対し、対向電極（図示省略）側には各行のサブ画素に対向して走査線（コモン電極）８１ａ，８１ｂが形成されている。そして、奇数行と偶数行の２本の走査線８１（奇数走査線８１ａ，偶数走査線８１ｂ）同士は接続されて、配線８１ｃとして素子基板に配置される。配線８１ｃを介して、これらの２本の走査線８１ａ，８１ｂに同時に走査信号が供給されるようになっている。
【００４０】
即ち、図２の例では、第１，２行目の走査線によって、第１行目と第２行目の各サブ画素が同時に選択され、次いで、第３，４行目の走査線によって第３行目と第４行目の各サブ画素が同時に選択される。以下同様に、２ラインの走査線に接続された奇数行と偶数行の全サブ画素が同時に選択される。
【００４１】
また、２重マトリクス方式では、奇数行のサブ画素に供給するデータ信号と偶数行のサブ画素に供給するデータ信号とは、相互に異なるデータ線９１（奇数データ線９１ａ，偶数データ線９１ｂ）によって伝送される。従って、隣接する奇数走査線８１ａ及び偶数走査線８１ｂが同時に選択された場合でも、各サブ画素には各サブ画素に対応するデータ信号を供給することができる。
【００４２】
多重マトリクス方式では、多重マトリクス方式を採用しない場合に比べて、各走査線８１の選択期間を、多重数倍の時間に設定することができる。
【００４３】
図１においても、奇数走査線２１ａと偶数走査線２１ｂとを配線２１ｃにて共通接続して、液晶駆動装置５１から共通の走査信号を供給しており、２重マトリクス方式を採用していることが分かる。また、図１においても、奇数行の各画素４０には奇数データ線３１ａを介してデータ信号を供給し、偶数行の各画素４０には偶数データ線３１ｂを介してデータ信号を供給しており、同時に２ラインの画素に各画素に応じたデータ信号の書込みが可能である。
【００４４】
上述したように、これらの走査線２１及びデータ線３１には液晶駆動装置５１によって走査信号及びデータ信号が供給されるようになっている。即ち、液晶駆動装置５１は、図１の例では、走査信号Ｙ１〜Ｙ４を、それぞれ対応する各２本ずつの走査線２１に供給する。即ち、本実施の形態においては、液晶駆動装置５１は、走査線２１を１水平走査期間毎に２本ずつ（奇数走査線２１ａ及び偶数走査線２１ｂ）順次選択する。なお、選択期間の走査信号は選択電圧に設定され、非選択期間（保持期間）の走査信号は非選択電圧（保持電圧）に設定される。
【００４５】
また、液晶駆動装置５１は、選択された走査線２１に位置する画素４０（画素電極４３）に対し、図１の例では、データ信号Ｘ１〜Ｘ５を、表示内容に応じてそれぞれ対応するデータ線３１を介して供給する。詳細には、本実施の形態においては、選択期間において、奇数行の画素には奇数データ線３１ａを介してデータ信号を画素電極４３に供給し、偶数行の画素には偶数データ線３１ｂを介してデータ信号を画素電極４３に供給する。
【００４６】
液晶駆動装置５１は、タイミングコントローラ５２からの各種制御信号及びクロック信号を用いて、走査信号及びデータ信号を発生するようになっている。
【００４７】
本実施の形態においては、多重マトリクス方式を採用するだけでなく、更に、シーケンシャル駆動方式も採用するようになっている。
【００４８】
図３はこのシーケンシャル駆動方式を説明するためのものであり、図２に対応した説明図である。
【００４９】
図３の四角の枠は素子基板（図示省略）に形成される１画素の画素電極４３を示している。図３の例では、シーケンシャル駆動を採用することによって、四角枠の１画素が、図２の赤、緑、青の３色のサブ画素による１画素に相当する。即ち、シーケンシャル駆動においては、全画素電極４３に対して、例えば先ず図２の赤サブ画素に相当するデータを書込み、次に図２の緑サブ画素に相当するデータを書込み、最後に図２の青サブ画素に相当するデータを書込む。即ち、各画素のカラー情報を赤データ、緑データ、青データに分け、時分割に全画素に供給し（面順次）、各色毎に駆動する（色順次）ことによりカラー画像を得ている。
【００５０】
従って、シーケンシャル駆動では、図２の駆動方式に比べて、１／３倍の画素によって同一解像度の画像を表示することができる。つまり、１画素当たりの面積を広くとることができ、開口率を向上させて、高輝度化が可能である。
【００５１】
図１における各画素４０は、図３の四角枠の画素電極４３と同様の画素電極を有する画素である。即ち、図１の液晶駆動装置５１は、カラー画像を表示するために、各画素をシーケンシャル駆動するようになっている。シーケンシャル駆動においては、補助光源としてのバックライトを必要とする。
【００５２】
液晶パネル１０の背面には、バックライトユニット６２が配設されている。バックライトユニット６２は、上面が光を透過する材料で構成された略箱形状のケース６１を有する。ケース６１は、例えば射出成型による樹脂成型品で構成されている。ケース６１の一側面には、複数の発光ダイオード（以下、ＬＥＤという）部６０が配置されている。照明装置としてのＬＥＤ部６０は、赤光、緑光又は青光を夫々発光するＬＥＤ６０Ｒ，６０Ｇ，６０Ｂを有する。各ＬＥＤ６０Ｒ，６０Ｇ，６０Ｂは、タイミングコントローラ５２に個別に制御されて、ケース６１の内側に向けて赤光、緑光又は青光を順次出射することができるようになっている。
【００５３】
ケース６１内には、ＬＥＤ出射面に対向して、図示しない導光板が設けられている。即ち、導光板は、略板形状を有し、その一側面（入射面）がＬＥＤ６０Ｒ，６０Ｇ，６０Ｂの出射面に対向するように、ケース６１内に配置される。導光板は、例えば、透明なアクリル樹脂で成形されており、ＬＥＤ６０Ｒ，６０Ｇ，６０Ｂに面した一側面以外の３つの側面は、高い反射特性又は散乱特性を有する材料、例えば、白色印刷層等の反射層が形成されている。ＬＥＤ６０Ｒ，６０Ｇ，６０Ｂに面した導光板の一側面からは、ＬＥＤ６０Ｒ，６０Ｇ，６０Ｂからの光が入射して、導光板の内部に導かれるようになっている。
【００５４】
導光板は、底面及び側面の反射層によって、入射光を反射、散乱させ、上面から光を出射するようになっている。導光板の上面には、図示しない拡散シートが配置される。拡散シートは、導光板からの光を拡散して、上方に出射する。拡散シート上に、液晶パネル１０が配置されている。この構成により、拡散シートからの光が液晶パネル１０の表示領域に入射されるようになっている。
【００５５】
上述したように、表示領域の各画素４０は、液晶駆動装置５１によって、駆動が制御される。液晶駆動装置５１は、タイミングコントローラからの信号に基づいて、表示領域の各画素の制御に同期して、ＬＥＤ６０Ｒ，６０Ｇ，６０Ｂを発光させるようになっている。これにより、各画素を色順次で駆動すると共に、対応した色光を各画素に照射するシーケンシャル駆動が可能である。
【００５６】
＜作用＞
次に、このように構成された実施の形態の動作について図４及び図５を参照して説明する。図４はフィールドシーケンシャル駆動を説明するためのタイミングチャートであり、図４（ａ）はバックライトの点灯を示し、図４（ｃ）〜（ｅ）は夫々第１，２ライン、第３，４ライン又は第ｎ−１，ｎラインの画素に対する走査信号及びデータ信号を示している。図５はクロストークを低減することできることを説明するための説明図である。
【００５７】
一般的な駆動方法である４値駆動法（（１／２）Ｈセレクト、１Ｈ反転）を行う例について説明する。
【００５８】
各画素４０の駆動とバックライトユニット６２の照明とは連動して制御される。液晶駆動装置５１は、１フレームを赤サブフレーム期間、緑サブフレーム期間及び青サブフレーム期間の３つの期間に分ける。
【００５９】
液晶駆動装置５１は先ず赤サブフレーム期間を設定する。即ち、図示しない外部機器からの画像信号のうち赤画像の情報に基づく赤データ信号をデータ線３１ａ，３１ｂに供給する一方、１サブフレーム期間で全走査線を選択するための走査信号を走査線２１ａ，２１ｂに供給する。
【００６０】
即ち、図４（ｂ）に示すように、（１／２）Ｈ期間に、配線８１ｃを介して第１，第２ラインの走査線２１ａ，２１ｂに選択電圧の走査信号を供給する。また、液晶駆動装置５１は、第１，第２ラインの選択期間（（１／２）Ｈ期間）に、第１，第２ラインの各画素４０に対する赤データ信号をデータ線３１ａ，３１ｂに出力する。奇数行の画素４０の画素電極４３には、データ線３１ａ及びＴＦＤ４１を介して赤データ信号が供給され、偶数行の画素４０の画素電極４３には、データ線３１ｂ及びＴＦＤ４１を介して赤データ信号が供給される。（１／２）Ｈ期間の選択期間が終了すると、次のサブフレームの対応する期間まで走査信号は非選択電圧となる。
【００６１】
次に、液晶駆動装置５１は、図４（ｃ）に示すように、第３，第４ラインに選択電圧の走査信号を供給する。また、第３，第４ラインの各画素に対応する赤データ信号をデータ線３１を介して各画素の画素電極４３に与える。以後同様にして、第ｎ−１，ｎラインの各画素に対応する赤データ信号をデータ線３１を介して各画素の画素電極４３に与える。なお、図４に示すように、２ライン毎に反転駆動が行われている。
【００６２】
これらの走査信号及びデータ信号は、タイミングコントローラ５２からのタイミング信号に同期して液晶駆動装置５１から出力される。こうして、全画素４０の画素電極４３への赤データの書込みが終了すると、全走査線が非選択電圧となっているオフライン期間において、タイミングコントローラ５２がＬＥＤ６０Ｒを発光させる。
【００６３】
走査信号が非選択電圧の場合には、画素４０は液晶４２の駆動電圧を保持する。即ち、オフライン期間においては、液晶パネル１０の表示領域においては、各画素の液晶は、赤画像に基づく光透過率となっている。この状態で、ＬＥＤ６０Ｒから赤光が出射されて、赤光が液晶パネル１０の背面から照射されるので、液晶パネル１０の前面側からは赤画像が観察されることになる。
【００６４】
同様にして、液晶駆動装置５１は、緑サブフレーム期間において、緑データ信号を全画素に書込み、ＬＥＤ６０Ｇを発光させて、緑画像での表示を行う。更に、液晶駆動装置５１は、青サブフレーム期間において、青データ信号を全画素に書込み、ＬＥＤ６０Ｂを発光させて、青画像での表示を行う。こうして、本実施の形態においては、色順次で駆動を行うフィールドシーケンシャル駆動が行われる。なお、図４に示すように、液晶駆動装置５１は、ライン反転すると共に、サブフレーム毎の反転駆動も行っている。
【００６５】
ところで、４値駆動法（（１／２）Ｈセレクト、１Ｈ反転）におけるデータ信号の電圧は、正極性の選択電圧を印加する場合には、画素４０をオン表示（例えば、ノーマリーホワイトモードにおいては黒色表示）とするときにはＶoffとなり、画素４０をオフ表示（ノーマリーホワイトモードにおいては白色表示）とするときにはＶonとなる一方、負極性の選択電圧を印加する場合であって、画素４０オン表示とするときにはＶonとなり、画素４０をオフ表示とするときにはＶoffとなる。
【００６６】
上述したように、非選択期間においては、ＴＦＤ４１の抵抗は十分に大きく、液晶４２の抵抗も十分に大きいので、上述した構成の画素４０における１個分は、配線２１ｃを含む走査線２１の配線抵抗ＲCOMと、液晶４２の液晶容量ＣLCP及びＴＦＤ４１の容量ＣTFDの直列回路による等価回路で表すことができる。
【００６７】
図５は従来例における４値駆動法と本実施の形態における４値駆動法とを説明するための説明図である。図５（ａ）は従来例を示し、図５（ｂ）は本実施の形態を示している。
【００６８】
走査信号が選択電圧Ｖcom(t)である期間は１／２Ｈである。所定のデータ線のデータ信号が図５（ａ）に示すように、選択期間の所定のタイミングでＶonからＶoffに切換ると、この切換りにより、走査線２１に拡大部９５に示すスパイクノイズが生じる。このスパイクノイズによる走査信号の変化分ΔＶは、下記（１）式で与えられる。なお、ＣLCCは図２の例における液晶容量であり、ＶSEGは（Ｖon−Ｖoff）である。
【００６９】
ΔＶ＝ＶSEG・｛ＣTFD／（ＣTFD＋ＣLCC）｝  …（１）
上述したように、ＰＷＭ制御を行う場合に、同一輝度の画素に対するデータ信号は同一タイミングでＶonからＶoff（又はＶoffからＶon）に切換る。従って、（１）式のΔＶは、同一輝度の画素にデータ信号を供給するデータ線３１の数が多いほど大きくなる。
【００７０】
また、データ線の全本数をＮallとし、ＶonからＶoffに切換るデータ線の本数をＮcとし、ＶoffからＶonに切換るデータ線の本数をＮdとすると、選択電圧Ｖcom(t)は下記（２）式にて表される。
【００７１】
Ｖcom(t)＝｛（Ｎc−Ｎd）／Ｎall｝・（Ｖon−Ｖoff）・Ｅｘｐ（−ｔ／τ）  …（２）
なお、τは、選択電圧がΔＶだけ低いスパイクノイズのレベルから通常のレベルに復帰するまでの時間である。
【００７２】
また、τは下記（３）式にて表される。なお、ＵSEGはデータ線の本数である。
【００７３】
τ＝（ＣLCC＋ＣTFD）・ＵSEG・ＲCOM    …（３）
ΔＶ及びτが大きいほど、選択電圧とデータ信号のオンオフ電圧との差が小さくなり、スパイクノイズがない場合の輝度との差が大きくなる。
【００７４】
本実施の形態においては、フィールドシーケンシャル駆動を採用しており、図２及び図３に示すように、解像度を変えなければ、１ライン当たりの画素数を１／３に低減することができる。従って、データ線数も通常の場合の１／３となる。従って、上記（３）式は、本実施の形態の場合には、下記（４）式となる。なお、ＣLCPは本実施の形態における液晶４２の液晶容量である。なお、ＵSEGは従来例のデータ線の本数である。
【００７５】
τ＝（ＣLCC＋ＣTFD）・（ＵSEG／３）・ＲCOM    …（４）
このように本実施の形態においては、τを従来例に比べて１／３に短くすることができ、図５（ｂ）の拡大部９６に示すように、スパイクノイズの影響を低減して、クロストークを抑制することができる。
【００７６】
下記表１は本実施の形態における特性をまとめたものである。なお、下記表１においては、容量値は液晶容量とＴＦＤの容量との和である。下記表１においては、従来例における値を１とした場合に、フィールドシーケンシャル方式の値、２重マトリクス方式の値、本実施の形態の値をそれぞれ示すものである。
【００７７】
［表１］
┌─────┬────┬───┬────┬──────┬───┬─────┐
│          │フレーム│ＲCOM │ 容量値 │クロストーク│ 輝度 │ドライバ数│
├─────┼────┼───┼────┼──────┼───┼─────┤
│従来例    │   １   │  １  │   １   │     １     │  １  │    １    │
├─────┼────┼───┼────┼──────┼───┼─────┤
│フィールド│        │      │        │            │      │          │
│シーケンシ│   ３   │  １  │   １   │     ３     │ ＋α │   1/3    │
│ャル      │        │      │        │            │      │          │
├─────┼────┼───┼────┼──────┼───┼─────┤
│２重マトリ│        │      │        │            │      │          │
│クス      │   1/2  │  1/2 │   ２   │     1/2    │ −α │    ２    │
├─────┼────┼───┼────┼──────┼───┼─────┤
│本実施の形│        │      │        │            │      │          │
│態        │   3/2  │  1/2 │   １   │     3/4    │  １  │   2/3    │
└─────┴────┴───┴────┴──────┴───┴─────┘
近年、表示画面は大型化される一方、全体のサイズは小型化されている。このため、配線２１ｃを配置する額縁領域のサイズは小さく、配線２１ｃとして十分な線幅を設定することは困難である。しかし、本実施の形態においては、配線２１ｃの本数が従来例に比べて１／２でよく、配線２１ｃの線幅を２倍にすることができ、配線２１ｃを含む走査線２１の抵抗ＲCOMを従来の１／２にすることができる。上記（４）式から明らかなように、この理由からも本実施の形態においてはクロストークを改善することができる。
【００７８】
なお、２重マトリクスでは、データ線３１を列数の２倍の数だけ配線する必要があり、開口率（輝度）が低下する。しかし、本実施の形態においては、１行の画素数を１／３に低減することが可能なフィールドシーケンシャルも採用しているので、結果的に従来と同様の輝度を得ることができる。また、２重マトリクスでは、数が増えたデータ線３１を駆動するためにドライバの数が増加するが、フィールドシーケンシャル駆動ではデータ線数を１／３に低減することができるので、結果的に従来に比して２／３のドライバ数で足りる。
【００７９】
このように本実施の形態においては、多重マトリクス方式及びフィールドシーケンシャル駆動を採用していることから、輝度を低下させることなく、また、ドライバ数を増大させることなく、クロストークを低減させることができる。
【００８０】
また、上述の液晶表示装置を用いた電子機器も本発明に含まれる。図６は電子機器の例を示す斜視図であり、携帯電話の外観を示している。図６に示すように、電子機器として携帯電話２００の表示部２０１に、上述した液晶表示装置が用いられる。
【００８１】
他にも、電子機器としては、例えば、光源と該光源から出射された光を変調するライトバルブと、該ライトバルブにより変調された光を投射するための光学系を備えた、投射型表示装置である。さらに、電子機器としては、他にも、テレビジョンや、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラ、タッチパネルを備えた機器等などが挙げられる。そして、これらの各種の電子機器に対して、本発明に係る液晶表示装置が適用可能なのは言うまでもない。
【図面の簡単な説明】
【００８２】
【図１】本発明の一実施の形態に係る液晶表示装置を示す説明図。
【図２】８行×９列のマトリクス型表示装置を示す説明図。
【図３】シーケンシャル駆動方式を説明するための説明図。
【図４】フィールドシーケンシャル駆動を説明するためのタイミングチャート。
【図５】従来例における４値駆動法と本実施の形態における４値駆動法とを説明するための説明図。
【図６】電子機器の例を示す斜視図。
【符号の説明】
【００８３】
１０…液晶パネル、１１…素子基板、１２…対向基板、２１ａ，２１ｂ…走査線、３１ａ，３１ｂ…データ線、４０…画素、４１…ＴＦＤ、４２…液晶容量、５１…液晶駆動装置、５２…タイミングコントローラ、６２…バックライトユニット。  
【図１】
2007003649.tif 000003
【図２】
2007003649.tif 000004
【図３】
2007003649.tif 000005
【図４】
2007003649.tif 000006
【図５】
2007003649.tif 000007
【図６】
2007003649.tif 000008